(57)【特許請求の範囲】
【請求項１】
空圧により駆動され、ケーブルトレーに装着されてケーブルを布設する複数の電線布設ロボットと、
前記複数の電線布設ロボットの駆動をそれぞれ連動制御する操作盤と、
前記複数の電線布設ロボットに空圧を供給する空圧供給部と、
前記電線布設ロボットを駆動及び制御する駆動源を供給するため、前記複数の電線布設ロボットと前記空圧供給部との間に、それぞれ連結された複数の空圧ラインとを含み、 
前記空圧ラインは、複合カプラにより互いに連結され、
前記空圧ラインは、前記電線布設ロボットを駆動するための空気を供給又は排出するホースと、前記電線布設ロボットを制御する電源を供給するために、前記ホース内に設けられた電源線とを備えることを特徴とする電線布設ロボットの制御システム。
【請求項２】
前記空圧ラインは、
前記空圧供給部と前記操作盤とに連結された第１の空圧ラインと、
前記操作盤と前記複数の電線布設ロボットとにそれぞれ連結された第２の空圧ラインとを備えることを特徴とする請求項１に記載の電線布設ロボットの制御システム。
【請求項３】
前記操作盤は、
前記複数の電線布設ロボットをそれぞれ操作する操作部と、
前記複数の電線布設ロボットの繰返し周期速度をそれぞれ調節する速度調節部とを備えることを特徴とする請求項２に記載の電線布設ロボットの制御システム。
【請求項４】
前記操作盤は、更に、前記複数の電線布設ロボットをそれぞれ互いに異ならせて前進又は後進で駆動させる連続モード部を備えることを特徴とする請求項３に記載の電線布設ロボットの制御システム。
【請求項５】
前記操作盤は、更に、前記複数の電線布設ロボットを同じく前進又は後進で駆動させるように制御する同期化モード部を備えることを特徴とする請求項３又は４に記載の電線布設ロボットの制御システム。
【請求項６】
前記第２の空圧ラインは、電線布設ロボットと電線布設ロボットとの間に連結されることを特徴とする請求項５に記載の電線布設ロボットの制御システム。
【請求項７】
前記複数の電線布設ロボットは、それぞれ空圧回路を備え、
前記操作盤は、前記空圧回路を制御して、前記電線布設ロボットの速度及び繰返し周期を制御することを特徴とする請求項１に記載の電線布設ロボットの制御システム。
【請求項８】
前記複合カプラは、雌カプラと雄カプラとを備え、
前記雌カプラと雄カプラとはそれぞれ、ホースに結合された結合端子と、前記結合端子に設けられた絶縁部材と、前記絶縁部材上に設けられた電源線とを備え、
前記雌カプラと雄カプラとの結合によって、前記ホースと電源線が互いに連結されることを特徴とする請求項１に記載の電線布設ロボットの制御システム。
【請求項９】
前記操作盤は、前記複数の電線布設ロボットをそれぞれ無線で制御するためのアンテナと、前記複数の電線布設ロボットの作動をそれぞれオン／オフするスイッチと、前記複数の電線布設ロボットの速度をそれぞれ制御する速度調節部と、前記複数の電線布設ロボットの繰返し周期をそれぞれ表示する表示部とを備えることを特徴とする請求項８に記載の電線布設ロボットの制御システム。
【請求項１０】
前記複数の電線布設ロボットは、制御器を備え、
前記制御器は、パルス生成器と、ソレノイドバルブと、無線モジュールとを備え、
前記速度調節部での指令によって、前記ソレノイドバルブに与えられるパルス幅を調節することにより、前記電線布設ロボットの繰返し周期が制御されることを特徴とする請求項９に記載の電線布設ロボットの制御システム。
【請求項１１】
前記複数の電線布設ロボットは、それぞれ有線で制御し、
前記空圧ライン内には、前記電線布設ロボットをそれぞれ制御するための制御線が設けられることを特徴とする請求項１に記載の電線布設ロボットの制御システム。
【請求項１２】
前記複合カプラは、更に、前記ホース、結合端子、電源線を固定させる固定部材を備えることを特徴とする請求項８に記載の電線布設ロボットの制御システム。
【請求項１３】
前記操作盤と連結されて分散制御する中央コントローラを含むことを特徴とする請求項１に記載の電線布設ロボットの制御システム。
【請求項１４】
前記電線布設ロボットは、前記ケーブルの前後進方向に運動可能なベースとリンクを有する胴体と、前記リンクと連携して、前記ケーブルを把持するグリッパ本体を有するグリッパとを備えることを特徴とする請求項１に記載の電線布設ロボットの制御システム。
【発明の詳細な説明】
【技術分野】
【０００１】
本発明は、電線布設ロボットの制御システムに関し、特に、大型船舶及び海洋工事現場において電線の布設を助ける複数の電線布設ロボットを制御する電線布設ロボットの制御システムに関する。
【背景技術】
【０００２】
電線布設が難しい理由の１つとして、電路(トレー)とケーブルとの間の摩擦による抵抗で、電線布設に多い労動力を要する。例えば、船舶乾燥において、電源供給及び装置間の連結のために、各種のケーブル又はチューブ、及び電線などの支持対象物が布設される。このような電線は、多段のケーブルトレー(Cable Tray)内に設置されて船舶に固定され、その種類及びサイズが様々であり、船種によって、最大で百万メートルが布設される。
【０００３】
このような電線布設作業は、人員も多数投入されるだけでなく、狭い作業空間と、高くて深い電路(Cable Tray)のため、作業条件が非常に劣悪であって、生産性が低下し、さらには、電線布設に際して、人力を多く要するので、作業者の筋骨格係疾患が急増している。
【０００４】
これを解決するために、布設作業に電線布設ロボットが用いられている。このような電線布設は、ケーブルドラムに巻回されているケーブルを、キャタピラー装置が押してくれながらケーブルを繰り出し、反対側にウインチでケーブルを引き寄せながら布設する。または、ケーブル中端に、ケーブル布設装置のうち、フィードタイプを設置して、ケーブル供給を助ける方式を用いている。
【０００５】
例えば、図１に示しているように、管路５７を通じて電力ケーブル２を布設するためには、マンホールを通じて垂直溝５６に作業者が入って作業を行い、まず、布設する電力ケーブルの曲律半径及び垂直溝５６内で折れる部分を考えて、キャタピラー５２、及びケーブルドラム５３を設置し、作業を制御するための制御器５１を設置する。以後、プーリングアイ５４を用いて、管路５７内の引継ロープ５５と、電力ケーブル２とを連結し、電力ケーブル２を布設する。
【０００６】
このような技術の一例が、下記の文献に開示されている。
【０００７】
例えば、下記の特許文献１は、ケーブル配線装置に関するものであって、ドラムの下部を支持する支持ローラが、駆動モータの駆動力によって回転して、支持ローラの上部に安着されるドラムが回転することにより、ドラムに巻取布設されたケーブルの配線作業を容易にし、補助支持体が支持体の一側又は両側に設けられ、ドラムに巻取布設されたケーブルを、３線以上に同時に配線する技術について開示している。
【０００８】
また、下記の特許文献２には、送・配電用の電力ケーブルを地中の電力溝内に布設するため、 地上のハブに巻取されたケーブルが布設飛階によって電力溝内に供給され、電力溝内のケーブルは、固設された多数のキャタピラーによって引き出されながら、案内ローラに沿って移送され、ケーブルが案内ローラに安着されながら、固定したキャタピラーに装着され、複数のキャタピラーの牽引によってケーブルが案内ローラに沿って移送され、移送されたケーブルは、電力溝の壁に設けられたハンガーに布設する布設用ガイドローラについて開示されている。
【先行技術文献】
【特許文献】
【０００９】
【特許文献１】大韓民国公開特許公報 第2011-0097172号(2011.08.31公開)
【特許文献２】大韓民国登録実用新案公報 第20-0263315号(2002.01.23 登録)
【発明の概要】
【発明が解決しようとする課題】
【００１０】
しかし、上述したような従来技術では、電線布設ロボットをそれぞれ運営し、それぞれの布設ロボットにおける電線布設のための速度が一定に設定されているので、電線布設作業において、いずれか１つの布設ロボットに障害が生じた場合、全体の布設作業を中断しなければならないという問題があった。
【００１１】
また、前記の従来技術では、空圧を適用する布設ロボットの場合、空圧供給ホースにおいて、それぞれの布設ロボットに空圧ラインを構築しなければならないので、設置時間が増加し、複数の空圧ラインがもつれるなどの問題によって、ホースにロスが発生するという問題もあった。
【００１２】
本発明は、前記のような従来の問題点を改善するためになされたものであって、その目的は、複数の電線布設ロボットをそれぞれ連動制御することにより、ロボットの障害発生を解決することができる電線布設ロボットの制御システムを提供することである。
【００１３】
本発明の他の目的は、１つの操作盤で複数の布設ロボットを制御することができる電線布設ロボットの制御システムを提供することである。
【００１４】
また、本発明の更に他の目的は、複数の布設ロボットの速度、繰返し周期、及び動作モードをそれぞれ制御することができる電線布設ロボットの制御システムを提供することである。
【課題を解決するための手段】
【００１５】
前記目的を達成するために、本発明による電線布設ロボットの制御システムは、空圧により駆動され、ケーブルトレーに装着されてケーブルを布設する複数の電線布設ロボットと、前記複数の電線布設ロボットの駆動をそれぞれ連動制御する操作盤と、前記複数の電線布設ロボットに空圧を供給する空圧供給部と、前記電線布設ロボットを駆動及び制御する駆動源を供給するため、前記複数の電線布設ロボットと前記空圧供給部との間に、それぞれ連結された複数の空圧ラインとを含み、前記空圧ラインは、複合カプラにより互いに連結され、前記空圧ラインは、前記電線布設ロボットを駆動するための空気を供給又は排出するホースと、前記電線布設ロボットを制御する電源を供給するために、前記ホース内に設けられた電源線とを備えることを特徴とする。
【００１６】
前記空圧ラインは、前記空圧供給部と前記操作盤とに連結された第１の空圧ラインと、前記操作盤と前記複数の電線布設ロボットとにそれぞれ連結された第２の空圧ラインとを備える。
【００１７】
前記操作盤は、前記複数の電線布設ロボットをそれぞれ操作する操作部と、前記複数の電線布設ロボットの繰返し周期速度をそれぞれ調節する速度調節部とを備える。
【００１８】
前記操作盤は、更に、前記複数の電線布設ロボットをそれぞれ互いに異ならせて前進又は後進で駆動させる連続モード部を備える。
【００１９】
前記操作盤は、更に、前記複数の電線布設ロボットを同じく前進又は後進で駆動させるように制御する同期化モード部を備える。
【００２０】
前記第２の空圧ラインは、電線布設ロボットと電線布設ロボットとの間に連結される。
【００２１】
前記複数の電線布設ロボットは、それぞれ空圧回路を備え、前記操作盤は、前記空圧回路を制御して、前記電線布設ロボットの速度及び繰返し周期を制御する。
【００２２】
前記複合カプラは、雌カプラと雄カプラとを備え、前記雌カプラと雄カプラとはそれぞれ、ホースに結合された結合端子と、 前記結合端子に設けられた絶縁部材と、前記絶縁部材上に設けられた電源線とを備え、前記雌カプラと雄カプラとの結合によって、前記ホースと電源線が互いに連結される。
【００２３】
前記操作盤は、前記複数の電線布設ロボットをそれぞれ無線で制御するためのアンテナと、前記複数の電線布設ロボットの作動をそれぞれオン／オフするスイッチと、前記複数の電線布設ロボットの速度をそれぞれ制御する速度調節部と、前記複数の電線布設ロボットの繰返し周期をそれぞれ表示する表示部とを備える。
【００２４】
前記複数の電線布設ロボットは、制御器を備え、前記制御器は、パルス生成器と、ソレノイドバルブと、無線モジュールとを備え、前記速度調節部での指令によって、前記ソレノイドバルブに与えられるパルス幅を調節することにより、前記電線布設ロボットの繰返し周期が制御される。
【００２５】
前記複数の電線布設ロボットは、それぞれ有線で制御し、前記空圧ライン内には、前記電線布設ロボットをそれぞれ制御する制御線が設けられる。
【００２６】
前記複合カプラは、更に、前記ホース、結合端子、電源線を固定させる固定部材を備える。
【００２７】
更に、複数の操作盤と連結されて分散制御する中央コントローラを含む。
【００２８】
前記電線布設ロボットは、前記ケーブルの前後進方向に運動可能なベースとリンクを有する胴体と、前記リンクと連携して、前記ケーブルを把持するグリッパ本体を有するグリッパとを備える。
【発明の効果】
【００２９】
本発明による電線布設ロボットの制御システムによると、空圧を供給するための空圧ホースに操作盤が結合され、前記操作盤に複数の電線布設ロボットが結合されるので、作業現場において空圧を供給するための設置時間を短縮することができ、また、布設ロボットの運営費用を節減することができるという効果を得られる。
【００３０】
また、本発明による電線布設ロボットの制御システムによると、一つの操作盤で複数の電線布設ロボットを制御するので、布設ロボットの運営費用を節減することができるという効果も得られる。
【００３１】
更に、本発明による電線布設ロボットの制御システムによると、電線布設のための区間と形態によって、様々な工法と応用が要求される電線布設に対応して、複数の電線布設ロボットをそれぞれ連動制御するので、布設ロボットの障害を防止することができ、布設ロボットを効率よく運営することができるという効果も得られる。
【００３２】
なお、本発明による電線布設ロボットの制御システムによると、空圧を供給するためのホース内に電源線が設けられるので、作業現場において、ホースと電源線による障害を防止することができるという効果が得られる。
【図面の簡単な説明】
【００３３】
【図１】図１は、従来の電線布設の過程を説明するための図である。
【図２】図２は、本発明の実施例１による電線布設ロボットの制御システムの構成図である。
【図３】図３は、図２における操作盤の構成の一例を示す図である。
【図４】図４は、図２における操作盤の構成の他の例を示す図である。
【図５】図５は、図２における電線布設ロボットの制御システムにおける結合状態を説明するための図である。
【図６】図６は、本発明の実施例２による電線布設ロボットの制御システムの構成図である。
【図７】図７は、本発明の実施例３による電線布設ロボットの制御システムの構成図である。
【図８】図８は、図７における操作盤の構成図である。
【図９】図９は、図７における電線布設ロボットの構成を示す図である。
【図１０】図１０は、図７における空圧ラインの結合を説明するための複合カプラの構造を示す図である。
【図１１】図１１は、図１０における複合カプラの他の例を示す図である。
【図１２】図１２は、本発明の実施例１又は実施例２に適用される電線布設ロボットの制御システムの結線図である。
【図１３】図１３は、本発明に適用される布設ロボットの構造の一例を示す図である。
【発明を実施するための形態】
【００３４】
本発明の前記及びその他の目的と新たな特徴は、本明細書の技術及び添付の図面により、明確になるだろう。
【００３５】
以下、本発明の構成を、図面によって説明する。
【００３６】
[実施例１]
図２は、本発明の実施例１による電線布設ロボットの制御システムの構成図であり、図３は、 図２における操作盤の構成の一例を示す図である。
【００３７】
図２に示しているように、本発明の実施例１による電線布設ロボットの制御システムは、空圧により駆動され、ケーブルトレーに装着されて、ケーブルを布設する複数の電線布設ロボット１０と、前記複数の電線布設ロボットに空圧を供給する空圧供給部(図示せず)と、前記電線布設ロボットを駆動及び制御する駆動源を供給するため、前記複数の電線布設ロボットと前記空圧供給部との間にそれぞれ連結された複数の空圧ライン２０と、前記複数の電線布設ロボット１０の駆動をそれぞれ連動制御する操作盤３０とを含む。
【００３８】
前記空圧ライン２０は、複合カプラにより互いに連結され、前記空圧供給部と前記操作盤３０に連結された第１の空圧ライン２１と、前記操作盤３０と前記複数の電線布設ロボット１０にそれぞれ連結された第２の空圧ライン２２とを含むことができる。
【００３９】
また、前記空圧ライン２０は、前記電線布設ロボット１０を駆動するための空気を供給又は排出するホースと、前記電線布設ロボットの制御のための電源を供給するために、前記ホース内に設けられた電源線とを含む。 また、前記実施例１では、空圧ライン２０がホースに設けられた構造をもって説明したが、これに限られず、パイプなどに代替することができる。
【００４０】
前記電線布設ロボット１０は、空圧で駆動され、図２の例では、２台の電線布設ロボット１０を、操作盤３０が連動制御する構造を示している。しかし、前記操作盤３０が制御する電線布設ロボット１０の個数は、２台に限られず、設定条件によって変更可能である。
【００４１】
空圧を用いる場合、電気と比較して現場のメインテナンス性がよく、また、一時的に多数の装備間に同期駆動が合わないことで、ケーブルが動かない過負荷がかかった状態であっても、電気式モータの過負荷でのような誤作動を排除することができる。むしろ、自動に同期が合わせる状態、即ち、各アクチュエータの最大圧力が適用される状態まで動作遅延の効果があるため、自動で同期を合わせることに有利である。
【００４２】
図３に示しているように、前記操作盤３０には、前記複数の電線布設ロボット１０をそれぞれ操作する操作部３１と、前記複数の電線布設ロボット１０の繰返し周期速度をそれぞれ調節する速度調節部３２とが設けられる。
【００４３】
前記操作部３１と速度調節部３２とは、操作盤３０上に設けられた２つのレバーであって、前記操作部３１においては、電線布設ロボット１０の動作開始、停止、初期化を選択することができ、前記速度調節部３２においては、前記電線布設ロボット１０の繰返し周期速度を調節する。
【００４４】
前記のような速度の調節は、例えば、電線布設ロボット１０に設けられた空圧回路を調節することによって行われる。
【００４５】
また、本発明による電線布設ロボットの制御システムの他の例を、図４によって説明する。
【００４６】
図４は、図２における操作盤の構成の他の例を示す図である。
【００４７】
図４に示しているように、前記操作盤３０には、図３に示している構成である複数の電線布設ロボット１０をそれぞれ操作する操作部３１と、前記複数の電線布設ロボット１０の繰返し周期速度をそれぞれ調節する速度調節部３２とに加えて、前記複数の電線布設ロボットを同様に前進又は後進で駆動させるように制御する同期化モード部３３と、前記複数の電線布設ロボットをそれぞれ互いに異ならせて前進又は後進で駆動させる連続モード部３４とが設けられる。
【００４８】
それで、第１の電線布設ロボットと、第２の電線布設ロボットとに分類して、第１の電線布設ロボットと第２の電線布設ロボットとの動作駆動方式を、２つのモードで制御することができる。即ち、同期化モード部３３で制御する場合、第１の電線布設ロボットと第２の電線布設ロボットとが同じく前進、後進動作する。これに対して、連続モード部３４で制御する場合、第１の電線布設ロボットと第２の電線布設ロボットとはそれぞれ反対に動作する。例えば、第１の電線布設ロボットが前進すると、第２の電線布設ロボットは後進して、互いに異なる状態で作動する。これにより、ケーブルの連続布設が可能である。
【００４９】
また、複数台の設置を要する布設区間には、図２に示しているように、装備運営者間の通信機器を用いて、互いの状態、例えば、電線布設ロボットの速度、同期化モード運営、連続モード運営を全区間の電線布設ラインで確認して布設することができる。
【００５０】
上述したように、作業運営者が図２に示しているように、２台の電線布設ロボット１０を連動制御することにより、２台の電線布設ロボット１０のいずれか１つに障害が生じた場合、例えば、第１の電線布設ロボットにおいて、電線布設の実行に障害が発生する場合、第２の電線布設ロボットにおける電線布設を逆方向に行うことによって、第１の電線布設ロボットでの障害を解決することができる。
【００５１】
また、例えば、第１の電線布設ロボットにおいて障害が発生した場合、第１の電線布設ロボットは、フリーラン状態で作動され、第２の電線布設ロボットの速度を増加することによって、全区間における電線の布設を一定の速度で維持することができる。
【００５２】
また、図４においては、操作部３１、速度調節部３２、同期化モード部３３、及び連続モード部３４を全て設けた構造として説明したが、電線布設の区間、電線の種類によって、操作部３１、速度調節部３２、及び同期化モード部３３を設けて用いるか、または、操作部３１、速度調節部３２、及び連続モード部３４を設けて用いることができる。
【００５３】
次に、上述したような操作盤３０に、複数の電線布設ロボットを連結して作動する構造について、図５によって説明する。
【００５４】
図５は、図２における電線布設ロボットの制御システムにおける結合状態を説明するための図である。
【００５５】
図５に示しているように、本発明による電線布設ロボットの制御システムでは、操作盤３０に、複数の電線布設ロボットを順次連結して用いることができる。
【００５６】
例えば、前記空圧供給部と操作盤３０を連結する第１の空圧ライン２１は、３〜５ｍの距離に維持され、前記操作盤３０と電線布設ロボット１０を連結する第２の供給ライン２２は、２〜４ｍの距離に維持される。
【００５７】
前記第１の空圧ライン２１と、第２の供給ライン２２とには、それぞれ、Ｔ字状のカプラが設けられ、空圧の供給ラインを容易に実現することができる。
【００５８】
図５に示している構造では、図２での構造とは異なり、前記第２の空圧ライン２２が、電線布設ロボット１０と電線布設ロボット１０との間に順次連結される。また、前記電線布設ロボット１０と電線布設ロボット１０との間の連結も、Ｔ字状のカプラによって行われる。
【００５９】
図５に示しているような構造を適用することにより、複数の電線布設ロボット１０を、１つの操作盤３０で制御することができる。
【００６０】
[実施例２] 
次に、本発明の実施例２を、図６によって説明する。
【００６１】
図６は、本発明の実施例２による電線布設ロボットの制御システムの構成図である。
【００６２】
図６に示している実施例では、前記複数の電線布設ロボット１０がそれぞれ、有線で制御される構造である。
【００６３】
即ち、図６に示しているように、前記空圧ライン２０内には、前記電線布設ロボット１０をそれぞれ制御するための制御線２２２が設けられ、前記複数の電線布設ロボット１０は、それぞれ、空圧シリンダと、空圧回路とを備える。
【００６４】
空圧ライン２０内には、空圧線２１０と、電源線２２１と、制御線２２２とが設けられ、電線布設ロボット１０には、空圧線２１０が、電源線２２１及び制御線２２２の結合線２２０と分離して連結され、操作盤３０は、前記空圧回路を制御して、前記電線布設ロボット１０の速度及び繰返し周期を制御する。
【００６５】
図６において、符号１３０は、電線を移動させるために電線を把持するグリッパを示す。前記グリッパ１３０としては、カー状グリッパ、Ｕ字状グリッパ、風船状グリッパのいずれか１つを用いることができる。
【００６６】
前記カー状グリッパは、アームの回動でケーブルの移動を断続し、Ｕ字状グリッパは、Ｕ字状バンドの昇下降でケーブルの移動を断続し、風船状グリッパは、空圧でバンドの膨脹と収縮を誘発して、ケーブルの移動を断続する。前記カー状グリッパ、Ｕ字状グリッパ、風船状グリッパは、小型化ができ、狭小な船舶のトレーに容易に設置することができる。
【００６７】
[実施例３]
図７は、本発明の実施例３による電線布設ロボットの制御システムの構成図であり、図８は、図７における操作盤の構成図であり、図９は、図７における電線布設ロボットの構成を示す図であり、図１０は、図７における空圧ラインの結合を説明するための複合カプラの構造を示す図である。
【００６８】
図７及び図８に示しているように、本発明の実施例３による電線布設ロボットの制御システムは、ケーブルトレー１に装着されてケーブル２を布設する複数の電線布設ロボット１０が、それぞれ、空圧ライン２０に連結され、前記電線布設ロボット１０をそれぞれ連動制御する操作盤３０が、複数の電線布設ロボットをそれぞれ無線で制御する構造である。
【００６９】
即ち、図８に示しているように、前記操作盤３０は、前記複数の電線布設ロボット１０をそれぞれ無線で制御するためのアンテナと、E-STOP部４１０と、前記複数の電線布設ロボット１０の作動をそれぞれオン／オフするスイッチ４２０と、前記複数の電線布設ロボット１０の速度をそれぞれ制御する速度調節部と、前記複数の電線布設ロボットの繰返し周期を表示する表示部４３０とを含む。前記表示部４３０には、図８に示しているように、ＬＥＤバーが設けられて、それぞれの電線布設ロボット１０の速度状態を作業運営者が認知することができる。
【００７０】
また、図９に示しているように、前記電線布設ロボット１０は、布設ロボット１１０と、前記布設ロボット１１０を制御するための制御器１２０とを含む。
【００７１】
前記制御器１２０は、パルス生成器１２１と、ソレノイドバルブ１２２と、無線モジュール１２３とを含む。
【００７２】
それで、前記操作盤３０のアンテナを介して、前記無線モジュール１２３に伝送された前記速度調節部の指令に従って、前記ソレノイドバルブ１２２に与えられるパルス幅を調節することによって、前記布設ロボット１１０の繰返し周期が制御される。
【００７３】
上述したような速度調節は、布設ロボット１１０に設けられた空圧シリンダの往復繰返し周期を調節することで、制御器１２０のソレノイドバルブに与えられるパルス幅を調節する。すなわち、操作盤３０からパルス幅値を伝送し、パルス生成器１２１で指令されたパルス幅を生成し、ソレノイドバルブ１２２を駆動することによって、速度調節、及び繰返し周期の調節が行われる。
【００７４】
上述したように、作業運営者が、図７における３台の電線布設ロボット１０を連動制御することによって、３台の電線布設ロボット１０のいずれか１つに障害が生じた場合、例えば、２番目の電線布設ロボット１０において、電線布設の実行に障害が発生した場合、３番目の電線布設ロボット１０における電線布設を逆方向に行うことによって、２番目の電線布設ロボット１０における障害を解決することができる。
【００７５】
また、例えば、１番目の電線布設ロボット１０において障害が発生した場合、１番目の電線布設ロボット１０は、フリーラン状態とし、２番目及び３番目の電線布設ロボット１０の速度を増加することによって、電線の布設を一定速度に維持することができる。
【００７６】
前記複合カプラ３００は、図１０に示しているように、雌カプラ３１０と、雄カプラ３２０とを含む。
【００７７】
前記雌カプラ３１０と雄カプラ３２０とはそれぞれ、ホース３１２に結合された結合端子３１１、３２１と、前記結合端子３１１、３２１上に設けられた絶縁部材３１４と、前記絶縁部材３１４上に設けられた電源線３１３とを含む。即ち、前記結合端子３１１、３２１は、結合力を増加するために、金属材で形成することが望ましい。このように金属材で形成する場合、電気的導電性のため絶縁部材３１４を設けたが、強化プラスチックのような材質で結合端子３１１、３２１を形成する場合、絶縁部材３１４は省略してもよい。
【００７８】
上述したような構造を有する雌カプラ３１０と雄カプラ３２０との結合によって、前記ホース３１２と電源線３１３とが互いに連結される。
【００７９】
本発明では、前記したように、電源線３１３がホース３１２内に設けられるので、従来の技術とは異なり、電線布設ロボット１０を制御するための別の電線を設ける必要がない。これによって、電線布設の作業現場を整理することができ、ホース３１２と電源線３１３とのもつれによる問題も解決される。
【００８０】
また、前記雌カプラ３１０に雄カプラ３２０を挿入することによって、空圧ライン２０の長さを容易に延ばすことができる。
【００８１】
また、前記複合カプラ３００は、図１１に示しているように、前記ホース３１２と、結合端子３１１、３２１と、電源線３１３を固定する固定部材３３０とを設けることもできる。このような固定部材３３０は、例えば固定リングのような構造を設けて、前記結合端子３１１、３２１に向けて、ホース３１２と電源線３１３とが押し付けられる機能を有するので、ホース３１２と電源線３１３とが、結合端子３１１、３２１から離脱することを防止する。
【００８２】
次に、布設ロボット１１０、操作盤３０、制御器１２０の結合状態を、図１２によって説明する。
【００８３】
図１２は、本発明の実施例１又は実施例２に適用される電線布設ロボットの制御システムの結線図である。
【００８４】
また、図１２においては、回路の説明のために有線の結合で示しているが、これに限られず、実施例３に適用するように、無線で連結されることもできる。
【００８５】
図１２に示しているように、布設ロボット１１０と操作盤３０とに連結される制御器１２０は、ソレノイドバルブに設けられたタイムディレイバルブ４５で作動タイミングを調節する。前記制御器１２０は、空圧式往復駆動アクチュエータが適切であるが、油圧シリンダ、電気式、 エンジン式などを使用することもできる。
【００８６】
このようなアクチュエータの作動は、例えば、操作盤３０に設けられた操作部３１の開始、停止、リセットのレバーを作業者が操作することによって、タイムディレイバルブ４５が、布設ロボット１１０と制御器１２０とからなる装備間の開始と停止時点に差を設定する。
【００８７】
一方、本発明は、布設ロボット１１０を制御器１２０のアクチュエータに取り付けて、往復動に際して、ケーブル２が自動に進行する構造を取ることもできる。また、アクチュエータの場合には、空圧式だけでなく、往復動を行う全てのアクチュエータに適用することができる。ケーブル２の進行方向において抵抗が小さい場合、布設ロボット１１０に代えて、ローラ(図示省略)を用いることもできる。
【００８８】
また、本発明では、前記電線布設ロボット１０と制御器１２０とを、操作盤３０と中央コントローラとに分散して制御することができる。
【００８９】
前記中央コントローラは、操作が容易な位置で複数の操作盤３０と連結される。本発明のプロセスロジッグを、複数の操作盤３０に分散させることで、作動速度と信頼性を向上し、異常発生時には、その危険負担を最小化する。中央コントローラは、分散した操作盤３０への管理機能の他に、外部装置との情報処理の機能も有する。また、操作盤３０と中央コントローラとの間には、無線操作機を介在することもできる。
【００９０】
次に、本発明に適用される布設ロボット１１０の構造について、図１３によって説明する。
【００９１】
図１３は、本発明に適用される布設ロボットの構造の一例を示す図である。
【００９２】
図１３に示しているように、本発明に適用される布設ロボット１１０は、グリッパ１３０と、胴体１４０、制御器１２０とを含む。 
【００９３】
本発明による胴体１４０は、ケーブル２の前後進方向に運動可能なベース１４１と、リンク１４２とを備える。胴体１４０は、ケーブルトレー１に固定するためのフレームを基盤とし、フレーム上にリンク１４２を前後進運動ができるように収容する。‘前後進' 運動とは、ケーブル２が布設される方向であるので、ケーブルトレー１の経路である水平、垂直、曲線方向を全て含む意味である。リンク１４２の前後進運動は、必ず、直線運動に限られず、回動を含む。
【００９４】
前記胴体１４０のリンク１４２は、一方向運動時にのみ、ケーブル２と共に移動する。従って、前記リンク１４２は、前進運動時に、摩擦力の作用により電線と共に移動することができ、後進運動時、電線とは別に後進することができる。また、胴体１４０を逆に回して、制御器１２０に取り付ける場合は、後進運動時、ケーブル１に摩擦力を作用して電線を後進させ、前進運動時、ケーブル２とは別に前進することができる。リンク１４２が胴体１４０上で前進と後進運動が繰り返し行われる間、例えば、前進時にのみ、ケーブル２に摩擦力が作用するようにして、布設力を与える原理である。このような１方向(one-way)布設は、簡単な機構的メカニズムによって行われるので、全般的な構成を単純化する。
【００９５】
前記胴体１４０とリンク２２０との連結のためのヒンジ軸１４３は、分割ピン、スナップリング、ねじ、キーの少なくとも１つを介在して、分離可能に設けられる。前記リンク１４２は、胴体１４０上にヒンジ軸２２３を介して、回動(搖動)可能に設けられる。使用及びメインテナンスの便宜のため、リンク１４２は、分離容易な構造が望ましい。このため、ヒンジ軸１４３は、分割ピン、スナップリング、ねじ、キーなどに分離容易に結合する。 
【００９６】
前記胴体１４０とリンク１４２は、前後進運動範囲を制限するため、ストッパ１４３を介在する。ストッパ１４３の一例として、胴体１４０とリンク１４０との間に凹凸構造を適用することもできる。ストッパ１４５は、隠される構造が適切であるが、外部に露出する構造であってもよい。また、ストッパ１４５は、リンク１４２の実質的な運動範囲ではなく、最大許容の運動範囲に設定することもできる。
【００９７】
また、本発明によるグリッパ１３０は、前記リンク１４２と連携して、ケーブル２を把持するグリッパ本体１３１を有する。グリッパ本体１３１は、前述したリンク１４２と共に、ケーブル２に対する布設力を断続する。通常、１つのリンク１４２に１つのグリッパ本体１３１を適用しているが、複数のグリッパ本体１３１を適用することもできる。
【００９８】
前記グリッパ１３０のグリッパ本体１３１は、線材、ベルト、Ｕ字棒、１方向ローラの少なくとも１つを用いる。線材は、柔軟に折曲可能であり、ケーブル２の着脱(ロード・アンロード)側面で有利である。ベルトは、線材のような柔軟性を有し、相対的に広い幅を持ち、場合によって、内面に凹凸を含むことができる。Ｕ字棒は、ケーブル２の着脱には不都合であるが、高強度で耐久性を向上することができる。また、１方向ローラは、ローラと１方向クラッチとが結合した構造であって、軽薄短小の側面で不利であるが、後進時に摩擦力を最小化することができる。グリッパ本体１３１の線材、ベルト、Ｕ字棒、１方向ローラは、単独又は併合して用いることができる。
【００９９】
ここで、前記グリッパ本体１３１が線材の場合、ワイヤーロープ、チェーン、纎維、樹脂の少なくとも１つを用いることができる。ワイヤーロープは、鋼材が望ましいが、纎維や樹脂でもよい。チェーンは、軽薄短小においては不利であるが、切断時に部分入替が容易である。纎維と樹脂は、高強度を有する単芯又は同軸状として用いることができる。
【０１００】
一方、前記グリッパ本体１３１は、更に、ケーブル２の径に対応するように、複数のブロック、螺旋、噛合凹凸の少なくとも１つを備えるのが望ましい。グリッパ本体１３１に、長さ調節のための構成を加える場合、ケーブル２の径が変わっても、そのままの使用が可能である。ブロックは、金属材で形成された球体、多面体、円錐体などを用いることが望ましいが、標準品であるナットを少なくとも部分的に入れ替えることもできる。いずれの場合でも、ブロックは、線材の一定区間に結合して、所望する地点で隙間を開けて、リンク１４２に結合する。その他に、一部の領域を螺旋で結合するか、凹凸を噛合して、一側にねじで加圧する方式で、グリッパ本体１３１の長さを調節することもできる。
【０１０１】
更に、前記グリッパ１３０は、グリッパ本体１３１の着脱のためのロック体１３５を備え、ロック体１３５は、ポケット、ブラケット、ねじの少なくとも１つを用いる。グリッパ本体１３１の一端は、リンク１４２に強固に固定され、他端は、ロック体１３５に解体可能に固定される。グリッパ本体１３１に線材を用い、線材に複数のブロックが結合された場合、リンク１４２にはブロックと噛合可能なポケットを形成する。これと同様に、グリッパ本体１３１及びその長さ調節方式により、ロック体１３５として、ブラケットやねじを用いることができる。
【０１０２】
前記グリッパ本体１３１は、更に、ケーブル２の損傷を防止するため、エアホース、ビニル、皮、纎維、ゴムの少なくとも１つからなる被覆材１３３を備える。リンク１４２に結合されたグリッパ本体１３１の加圧力がケーブル２に作用すると、高荷重によってケーブル２の被覆が損傷する恐れが大きい。これを防止するため、グリッパ本体１３１の外面に摩擦系数が高く、且つ、耐磨耗性を有した被覆材１３３を加える。被覆材１３３は、樹脂材であるエアホース、ビニル、皮、纎維、ゴムの少なくとも１つを用いる。また、ケーブル２の損傷の虞がない場合、被覆材１３３を使用しなくても良い。
【０１０３】
以上で本発明は、前記の実施例に限られず、本発明の思想及び範囲を逸脱しない範囲で、様々に修正・変形できることは、当該技術の分野における通常の知識を有する者にとって自明である。従って、そのような変形例又は修正例は、本発明の特許請求の範囲に属すると言える。
【符号の説明】
【０１０４】
１０: 電線布設ロボット
２０: 空圧ライン
２１: 第１の空圧ライン
２２: 第２の空圧ライン
３０: 操作盤
３１: 操作部
３２: 速度調節部
３３: 同期化モード部
３４: 連続モード部
【図２】
0005873888.tif 000002
【図３】
0005873888.tif 000003
【図４】
0005873888.tif 000004
【図６】
0005873888.tif 000005
【図７】
0005873888.tif 000006
【図８】
0005873888.tif 000007
【図９】
0005873888.tif 000008
【図１２】
0005873888.tif 000009
【図１】
0005873888.tif 000010
【図５】
0005873888.tif 000011
【図１０】
0005873888.tif 000012
【図１１】
0005873888.tif 000013
【図１３】
0005873888.tif 000014